(57)【要約】【課題】  保管棚などの角支柱における任意の高さ位置に簡単かつしっかりと取り付けることができて、また取り外す際も簡単に取り外すことができる棚受け具を提供できるようにする。【解決手段】  本体１の一側端部寄りに、角支柱８における柱周りの少なくとも１つの角を挟んで位置する柱面９にそれぞれ接触できる切欠き部２を設けて、使用する際は本体１の切欠き部２を向かい合わせにして一対で用い、角支柱８の柱面９をそれぞれの本体１、１に有する切欠き部２、２で挟み込み、固定用ねじ１０とナット１１によってこれら切欠き部２、２で柱面９を締め付けることにより、本体１すなわち棚受け具を角支柱８の柱面９上における同角支柱８の遠心方向に固定できるようにした。【選択図】  図３
2012153517.tif 000002
【特許請求の範囲】
【請求項１】
角支柱の柱面上に取り付けできる棚受け具であって、本体の一側端部寄りに、柱周りの少なくとも１つの角を挟んで位置する柱面にそれぞれ接触できる切欠き部を設けてなり、使用の際は切欠き部を向かい合わせにして一対で用い、角支柱の柱面をそれぞれの本体に有する切欠き部で挟み込みかつこれら切欠き部で柱面を締め付けることによって、角支柱の柱面上における同角支柱の遠心方向に固定できるように構成してなる棚受け具。
【請求項２】
前記切欠き部における角支柱の柱面に接触する部位を、凸凹に形成してなる請求項１に記載の棚受け具。
【請求項３】
前記本体は、略矩形の板体における長手方向の一側端部寄りに後に前記切欠き部となる通孔が形成されかつ短手方向に３区画に分かれていて、同３区画における両側に位置する左区画部および右区画部をそれぞれ中央区画部の上方に折り曲げて断面コ字状に形成してなり、かつ断面コ字状にすることによって前記切欠き部が形成されてなる請求項１に記載の棚受け具。
【請求項４】
前記左区画部および右区画部におけるそれぞれの長手方向における遊端辺上の１点と短手方向における前記通孔寄りに位置する遊端辺上の１点を結んだ直線で形成されるそれぞれの三角区画部を、同直線を折り曲げ線として中央区画部の上方に折り曲げてこれら三角区画部どうしを固定してなる請求項３に記載の棚受け具。
【請求項５】
前記三角区画部は、折り曲げによってそれぞれの頂点部を接近乃至少々重なるようにしていて、かつ少なくとも頂点部どうしを溶接してなる請求項４に記載の棚受け具。
【発明の詳細な説明】
【技術分野】
【０００１】
本発明は、倉庫などで物品を保管するために使用される保管棚の棚受け具に関し、より詳しくは、角材たる角支柱の高さ方向における任意の位置に装着できる棚受け具に関する。
【背景技術】
【０００２】
従来、倉庫などで物品を保管するために使用される保管棚は、例えば、角支柱と筋交などで構成している支持枠を多数並べて、この支持枠上に設置した大引材の上に棚となる天板を取り付けた構造としている（例えば、特許文献１参照）。
【０００３】
また、この保管棚は天板の上だけに荷物を置き、天板の下方に有する空間には運搬機などで運搬してきた荷物を棚設置床面に置けるようにしている。
【０００４】
しかしながら、天板の下方にも棚を必要とする場合もあるが、上述のように保管棚は天板の下方に棚を設けないことを前提に設計されているため、棚の追加には多くの時間を必要としていた。
【０００５】
棚の追加には、例えば、天板を支持する支持枠を構成している角支柱に棚の支持用ステーを溶接やボルトなどによって固定し、この支持用ステーに棚となる板材を取り付けるようにしている。
【０００６】
そして、棚の追加作業中は、同棚を追加する保管棚への荷物の出し入れが基本的にはできないので保管作業が停滞する恐れがあり、また、追加した棚の高さ位置を変更する場合や棚を撤去する場合にも多くの時間を必要とするため、棚を追加する場合と同じく、保管作業が停滞する恐れがあった。
【先行技術文献】
【特許文献】
【０００７】
【特許文献１】特開２０１０−３７００５号公報（第１〜１０頁、図１〜９）
【発明の概要】
【発明が解決しようとする課題】
【０００８】
本発明の目的とするところは、保管棚などの角支柱における任意の高さ位置に簡単かつしっかりと取り付けることができて、また取り外す際も簡単に取り外すことができる棚受け具を提供できるようにすることにある。
【課題を解決するための手段】
【０００９】
上述した課題を解決するために、本発明に係る棚受け具は、角支柱の柱面上に取り付けできる棚受け具であって、本体の一側端部寄りに、柱周りの少なくとも１つの角を挟んで位置する柱面にそれぞれ接触できる切欠き部を設けてなり、使用の際は切欠き部を向かい合わせにして一対で用い、角支柱の柱面をそれぞれの本体に有する切欠き部で挟み込みかつこれら切欠き部で柱面を締め付けることによって、角支柱の柱面上における同角支柱の遠心方向に固定できるように構成したものとしてある。
【００１０】
また、前記切欠き部における角支柱の柱面に接触する部位を、凸凹に形成したものとしてある。
【００１１】
また、前記本体は、略矩形の板体における長手方向の一側端部寄りに後に前記切欠き部となる通孔が形成されかつ短手方向に３区画に分かれていて、同３区画における両側に位置する左区画部および右区画部をそれぞれ中央区画部の上方に折り曲げて断面コ字状に形成してなり、かつ断面コ字状にすることによって前記切欠き部が形成さるものとしてある。
【００１２】
また、前記左区画部および右区画部におけるそれぞれの長手方向における遊端辺上の１点と短手方向における前記通孔寄りに位置する遊端辺上の１点を結んだ直線で形成されるそれぞれの三角区画部を、同直線を折り曲げ線として中央区画部の上方に折り曲げてこれら三角区画部どうしを固定したものとしてある。
【００１３】
また、前記三角区画部は、折り曲げによってそれぞれの頂点部を接近乃至少々重なるようにしていて、かつ少なくとも頂点部どうしを溶接したものとしてある。
【発明の効果】
【００１４】
本発明に係る棚受け具によれば、保管棚などの角支柱における任意の高さ位置に簡単かつしっかりと取り付けることができる。
【００１５】
また、棚受け具は角支柱面に片持ち支持で取り付けできるので、棚受け具の下方に同棚受け具を支持するための支持部材などがなく、したがって、棚受け具で支持される棚板の下方を十分に空けることができる。
【００１６】
さらに、棚受け具は角支柱の角を挟み込んでいるため支柱回りに回転ずれを生じることがないので、棚受け具の取り付け位置をしっかりと保持できる。
【００１７】
そして、本体の切欠き部における角支柱の柱面に接触する部位を凸凹に形成しているものは、角支柱の柱面に本体を取り付けた際に切欠き部の凸部頂点部が柱面に食い込むので、柱面に棚受け具たる本体をしっかりと取り付けできて、棚受け具のずれ落ちを阻止できる。
【００１８】
そして、棚板の高さを変える場合は、棚受け具たる本体を締め付けている固定用ねじを緩めることで同本体を高さ方向に移動できるので、簡単に棚板の高さを変更することができる。
【００１９】
また、棚を撤去する場合は、棚受け具たる本体を締め付けている固定用ねじを取り外すことで同本体を取り外すことができるので、簡単に棚を撤去することができる。
【００２０】
さらには、本発明の棚受け具は、保管棚などにおける棚板の支持具以外にも、梯子のステップ板を支持する支持具や、１本角柱に左右交互に段違いに取り付けて１本梯子のステップなどにも利用できて、したがって応用の自由度を大にするものである。
【図面の簡単な説明】
【００２１】
【図１】本発明に係る棚受け具を示す斜視図。
【図２】棚受け具を図１中の矢印Ｃ方向より見た側面図。
【図３】棚受け具の使用方法を示した図。
【図４】角支柱に装着した棚受け具の一例を示す斜視図。
【図５】棚受け具の展開図。
【図６】角支柱に装着した棚受け具の一例を示す斜視図。
【図７】棚受け具の使用状態の一例を示した斜視図。（下方から見た図、８ａが手前、８ｃが奥）
【発明を実施するための形態】
【００２２】
以下、本発明に係る棚受け具の実施例を、添付図面に示す具体例に基づいて詳細に説明する。
【００２３】
本発明の棚受け具は、図１に示すように、例えば、アーム状の本体１における一側端部寄りに切欠き部２を設けていて、また、本体１の同図１中における符合Ａ、Ａ面をそれぞれ並行にかつ平坦な面にしている。
【００２４】
また、本体１におけるＡ、Ａ面の切欠き部２を除いた辺部３、３に接続している壁４に、固定用ねじを通すための通孔５を設けている（図２を参照）。
【００２５】
また、本体１の切欠き部２寄りには、Ａ、Ａ面の辺部６、６に接続する補強板７を設けている。
【００２６】
以下、上述のように構成した本発明の棚受け具たる本体１の作用について説明する。
【００２７】
図３に示すように、棚受け具たる本体１は、切欠き部２を向かい合わせにして一対で使用され、角支柱８の柱面９をそれぞれの本体１、１に有する切欠き部２、２で挟み込み、通孔５、５に通した固定用ねじ１０と同固定用ねじ１０に螺着したナット１１によって本体１、１の壁４、４どうしを締め付けると、前記柱面９がこれら本体１、１の切欠き部２、２によって締め付けられて、図４のように、棚受け具たる本体１、１を、角支柱８の柱面９上における同角支柱８の遠心方向に固定できる（図４を参照）。
【００２８】
この実施例に示した棚受け具たる本体１は、切欠き部２寄りの一部分を除いて断面コ字状に形成していて、また、所定の板体を折り曲げることによって本体１を形成できるようにしている。
【００２９】
図５は、本体１の展開図であり、具体的には、略矩形の板体１２における長手方向の一側端部寄りに後に前記切欠き部２となる通孔１３を形成し、また短手方向を３区画に分けていて、同３区画における両側に位置する左区画部１４および右区画部１５をそれぞれ折り曲げ線２０より中央区画部１６の上方に折り曲げることにより断面コ字状の棚受け具たる本体１を形成でき、かつ本体１が断面コ字状になることにより切欠き部２が形成されるようにしている。
【００３０】
さらに、前記左区画部１４および右区画部１５（図１中における本体１のＡ、Ａ面に相当する部位）におけるそれぞれの長手方向における遊端辺１７、１７（図１中における本体１の辺部６、６に相当する部位）上の１点と、短手方向における前記通孔１３寄りに位置する遊端辺１８、１８（図１中における本体１の辺部１９、１９に相当する部位）上の１点を結んだ直線で形成できるそれぞれの三角区画部２１、２１を、前記直線たる折り曲げ線２０、２０より中央区画部１６の上方に折り曲げてこれら三角区画部２１、２１の頂点部どうしを溶接すれば、前記補強板７を形成できる。
【００３１】
また、切欠き部２は、実施例に示すように、角支柱８の柱面９に接触する部位を、凸凹に形成する場合がある。
【００３２】
また、三角区画部２１、２１は、これら頂点部の間に溶接可能な範囲の隙間を開けて同頂点部どうしを対峙させた状態で溶接する場合や、同頂点部どうしを少々重ねた状態で溶接する場合がある。
【００３３】
また、本体１の切欠き部２における１辺の長さは、取り付ける角支柱の柱周りにおける１辺の長さよりも僅かに短くしていて、本体１、１の通孔５、５に通した固定用ねじ１０と同固定用ねじ１０に螺着したナット１１によって本体１、１の壁４、４どうしを締め付けた際に、角支柱８の柱面９を切欠き部２、２でしっかりと締め付けできるようにしているが、例えば、角支柱の太さが規格寸法外であって、前記切欠き部２における１辺の長さと前記角支柱の柱周りにおける１辺の長さが大に合わない場合などは、図６に示すように、それぞれの本体１、１における壁４、４の間にスペ―サ部材２２などを介在させて、棚受け具たる本体１、１を角支柱２３の柱面２４に固定する場合がある。
【００３４】
図７は、角支柱８の柱面９にそれぞれ取り付けた棚受け具たる本体１、１により、棚板２５を支持した一例を示している。この図７は、棚板２５を下方から見た図面で、角支柱８ａが手前、角支柱８ｃが奥で、角支柱８ｃの上部は棚板２５によって隠れている。
【符号の説明】
【００３５】
１  本体
２  切欠き部
３  辺部
４  壁
５  通孔
６  辺部
７  補強板
８（８ａ、８ｂ、８ｃ、８ｄ）角支柱
９  柱面
１０  固定用ねじ
１１  ナット
１２  板体
１３  通孔
１４  左区画部
１５  右区画部
１６  中央区画部
１７  遊端辺
１８  遊端辺
１９  辺部
２０  折り曲げ線
２１  三角区画部
２２  スペ―サ部材
２３  角支柱
２４  柱面
２５  棚板
【図１】
2012153517.tif 000003
【図２】
2012153517.tif 000004
【図３】
2012153517.tif 000005
【図４】
2012153517.tif 000006
【図５】
2012153517.tif 000007
【図６】
2012153517.tif 000008
【図７】
2012153517.tif 000009